(57)【要約】【課題】歩行面を確保し、ブロックの前方移動も側方移動も阻止し、浮きを阻止し、バラスト道床内部の水を確実に排水する。【解決手段】水平壁部１と、水平壁部１後端から上方に設けられた立上り壁部２と、立上り壁部２の下方に設けられた排水孔３と、水平壁部１後端の左右から下方に設けられた２個の脚壁部４と、脚壁部４下端から後方に設けられた載石壁部５とを有し、水平壁部１の上面に平行した複数の縦条溝６を均等に形成し、排水孔３の口径を後方に拡開して形成し、脚壁部４および載石壁部５の横幅をブロック横幅の３分の１以下に形成し、左右の脚壁部および載石壁部に挟まれた空間部７の横幅をブロック横幅の３分の１以上に形成したことを特徴とする。【選択図】図７
0003106510.tif 000002
【実用新案登録請求の範囲】
【請求項１】
水平壁部（１）と、水平壁部（１）後端から上方に設けられた立上り壁部（２）と、立上り壁部（２）の下方に設けられた排水孔（３）と、水平壁部（１）後端の左右から下方に設けられた２個の脚壁部（４）と、脚壁部（４）下端から後方に設けられた載石壁部（５）とを有し、水平壁部（１）の上面に平行した複数の縦条溝（６）を均等に形成し、排水孔（３）の口径を後方に拡開して形成し、脚壁部（４）および載石壁部（５）の横幅をブロック横幅の３分の１以下に形成し、左右の脚壁部（４）および載石壁部（５）に挟まれた空間部（７）の横幅をブロック横幅の３分の１以上に形成したことを特徴とするバラスト道床用ブロック。
【考案の詳細な説明】
【技術分野】
【０００１】
本考案は、複数のブロックを左右に連結して鉄道線路の路盤上に敷設することにより、歩行面を確保しバラストの流出を留めるためのバラスト道床用ブロックに関するものである。
【背景技術】
【０００２】
従来のバラスト道床用ブロックとしては、単純なＬ字型ブロックとＴ字型ブロックがある。たとえば実公平６−９０７０号公報のブロックはＬ字型ブロックの一例である。いずれのブロックも水平壁部を路盤上に設置する点は同じであるが、Ｌ字型ブロックは水平壁部を前方に向けて敷設する場合と後方に向けて敷設する場合とがある。図８に示されたように、Ｌ字型ブロックの水平壁部を前方に向けて敷設すると、歩行面を確保することはできるが、バラストに押されて前方に移動してしまいやすいという欠点があった。図９に示されたように、Ｌ字型ブロックの水平壁部を後方に向けて敷設すると、水平壁部の上面にバラストが載るため路盤との間に挟まれて大きなブレーキがかかるため前方への移動はしにくくなるが、歩行面を確保できないという欠点があった。そこでＬ字型ブロックの欠点を解決したのがＴ字型ブロックである。図１０に示されたように、Ｔ字型ブロックは前方部分の水平壁部を歩行面として使用することができ、後方部分の水平壁部の上面にバラストを載せることにより路盤との間に挟まれて大きなブレーキがかかり前方移動がしにくくなる。
【０００３】
従来のブロックの問題点の第１は、ブロック移動の危険性である。短期あるいは長期のあいだに、ブロックが前方または側方に移動する可能性がある。水平壁部の上面にバラストを載せても、振動や圧力で移動することがある。最大の原因は、ブロック全体の底面がフラットで、路盤上を滑りやすい構造をしているためである。原因としてもう１つ考えられるのが、バラストが立上り壁部を押すことによって生じる水平壁部の後方を浮かせようとする力の存在である。ブロックの構造上、水平壁部の前方が支点、立上り壁部の上方が力点、水平壁部の後方が作用点として力が働くためである。水平壁部の上面にバラストを載せた場合、浮かせようとする力とバラストの重さが衝突し、長期間においては前方移動する場合があると考えられる。側方移動の原因としては、左右連結のほかに側方移動を阻止するような構造をなにも有していないため、横方向に遊びが生じたときに移動してしまうと考えられる。
【０００４】
第２の問題点は、バラスト道床に溜まった水を排出する排水性を確保できない２つの危険性である。１つは水平壁部をバラスト道床内にいれると路盤の排水作用を阻害する可能性があること。１つは立上り壁部に排水孔が設けられている場合、その口径が前も後ろも同径に形成されていると、砕石が排水孔の背面を塞いで排水を止めてしまう可能性があることである。バラスト道床に大量の水が溜まるとブロックの移動やバラストの流出などの事故につながるため大変に危険である。
【０００５】
第３の問題点は、軽量化が図られていない点である。従来のブロックは、Ｌ字型なら単なるＬ字型のコンクリートブロック、Ｔ字型なら単なるＴ字型のコンクリートブロックであり、どこにもまったく軽量化がなされていなかった。重量は運搬や作業性に大きく影響する。
【特許文献１】実公平６−９０７０号公報
【考案の開示】
【考案が解決しようとする課題】
【０００６】
本考案が解決しようとする課題は、バラスト道床用ブロックにおいて、歩行面を確保し、ブロックの前方移動も側方移動も阻止し、水平壁部後方を浮かせようとする力を解消してブロックの移動を強力に防止し、バラスト道床内部の水を確実に排水できる排水性を確保し、少しでも軽量化を図ることにある。
【課題を解決するための手段】
【０００７】
本考案は、水平壁部と、水平壁部後端から上方に設けられた立上り壁部と、立上り壁部の下方に設けられた排水孔と、水平壁部後端の左右から下方に設けられた２個の脚壁部と、脚壁部下端から後方に設けられた載石壁部とを有し、水平壁部の上面に平行した複数の縦条溝を均等に形成し、排水孔の口径を後方に拡開して形成し、脚壁部および載石壁部の横幅をブロック横幅の３分の１以下に形成し、左右の脚壁部および載石壁部に挟まれた空間部の横幅をブロック横幅の３分の１以上に形成したことを特徴とするバラスト道床用ブロックに関するものである。
【考案の効果】
【０００８】
本考案のバラスト道床用ブロックによれば次のような効果を得ることができる。水平壁部の上面により歩行面を確保できる。路盤中に脚壁部が深く入り込むことと、路盤中で載石壁部にバラストが載ることにより、前方移動を強力に阻止することができる。ブロック横幅の３分の１以下に形成された左右の脚壁部および載石壁部に挟まれた空間部は、ブロック横幅の３分の１以上の幅を確保することができるため、路盤あるいはバラストがその空間部を十分に埋めることができ、空間部を埋めた路盤あるいはバラストによりブロックの側方移動を強力に阻止することができる。脚壁部と載石壁部は立上り壁部よりも水平壁部よりも下方に位置していることから、立上り壁部が押されると、立上り壁部上方が力点、脚壁部および載石壁部が支点、水平壁部前方が作用点に変わるため、水平壁部後方を浮かせようとする力を解消することができる。水平壁部を下方に押し下げて路盤に押し付けるため、水平壁部と路盤の摩擦が強化され、後方を浮かせようとする力は解消し、ブロックの移動を完全に阻止することができる。バラスト道床内部に溜まった水は、左右の脚壁部および載石壁部にはさまれた空間部から排水することができる。また、排水孔の口径が後方に拡開しているので、砕石により排水孔背面を完全に塞がれる可能性が低いため、排水孔の排水性を確保することができる。排水孔から排水された水を縦条溝によって速やかに軌道の外に排出することができる。左右の脚壁部および載石壁部にはさまれて空間部が存在するため、その分のコンクリートを軽量化できる。
【考案を実施するための最良の形態】
【０００９】
本考案のバラスト道床用ブロックを実施するための最良の形態について説明するが、この実施の形態にのみ限定されるべきものではないことはいうまでもない（図１〜図７参照。）。ブロックはコンクリート製である。図中１は、水平壁部である。水平壁部１の上面には平行した複数の縦条溝６が均等に形成されている。図のブロックでは、Ｖ字型の縦条溝６が４本と、左右両端に半Ｖ字型の縦条溝６が形成されている。水平壁部１の上面は歩行面であり、縦条溝６は歩行路の滑り止めである。図中２は、水平壁部１後端から上方に設けられた立上り壁部である。立上り壁部２下方の中央には排水孔３が設けられている。排水孔３の口径は、前方は通常であるが後方に拡開して形成されているため背面では口径が大きく形成されている。図中４は、水平壁部１後端の左右から下方に設けられている２個の脚壁部である。脚壁部４の下端から後方に向かって載石壁部５が設けられている。脚壁部４および載石壁部５の横幅はブロック横幅の３分の１以下に形成されている。左右の脚壁部４および載石壁部５に挟まれた空間部７の横幅は、ブロック横幅の３分の１以上に形成されている。ブロックの具体的一例の寸法を説明する。長さは、ブロック全長が４６０ｍｍで、載石壁部５は１００ｍｍ、脚壁部４および立上り壁部２は６０ｍｍ、水平壁部１は３６０ｍｍ（その内の空間部の長さは６０ｍｍ。）。幅は、ブロック横幅が５００ｍｍで、脚壁部４および載石壁部５は１５０ｍｍ、脚壁部４および載石壁部５に挟まれた空間部の幅は２００ｍｍ、排水孔３の前面が２５ｍｍで背面が３０ｍｍ、縦条溝６は１００ｍｍ間隔。高さは、ブロック高さが４６０ｍｍで、載石壁部５は５０ｍｍ、脚壁部４は１５０ｍｍ、水平壁部１は６０ｍｍ、立上り壁部１は２５０ｍｍ。ブロック重量は５６ｋｇである。
【図面の簡単な説明】
【００１０】
【図１】本考案ブロックの正面図である。
【図２】本考案ブロックの側面図である。
【図３】本考案ブロックの背面図である。
【図４】本考案ブロックの平面図である。
【図５】本考案ブロックの底面図である。
【図６】本考案ブロックを連結した状態の斜視図である。
【図７】本考案ブロックを設置した状態をあらわす説明図である。
【図８】従来のL字型ブロックを設置した状態を表す説明図である。
【図９】従来のL字型ブロックを設置した状態を表す説明図である。
【図１０】従来のT字型ブロックを設置した状態を表す説明図である。
【符号の説明】
【００１１】
１    水平壁部
２    立上り壁部
３    排水孔
４    脚壁部
５    載石壁部
６    縦条溝
７    空間部
【図１】
0003106510.tif 000003
【図２】
0003106510.tif 000004
【図３】
0003106510.tif 000005
【図４】
0003106510.tif 000006
【図５】
0003106510.tif 000007
【図６】
0003106510.tif 000008
【図７】
0003106510.tif 000009
【図８】
0003106510.tif 000010
【図９】
0003106510.tif 000011
【図１０】
0003106510.tif 000012